(57)【要約】    【課題】  防水パッキンの圧面を確保しつつ、変形量を減少させ、防水、防塵性能を向上させると共に、経時的な劣化を抑制した無線装置コネクタの防水構造を提供する。    【解決手段】  筐体１に穿設された孔２と、該孔を囲む壁部４と、前記孔を閉塞するコネクタカバー５と、該コネクタカバーに設けられ前記壁部と接触してコネクタ３を閉塞する防水パッキン７とを具備し、前記壁部の前記防水パッキンとの接触部８は、前記壁部の内縁と外縁とが高低差を有す様形成された。    【選択図】          図３
2010098345.tif 000002
【特許請求の範囲】
【請求項１】
筐体に穿設された孔と、該孔を囲む壁部と、前記孔を閉塞するコネクタカバーと、該コネクタカバーに設けられ前記壁部と接触してコネクタを閉塞する防水パッキンとを具備し、前記壁部の前記防水パッキンとの接触部は、前記壁部の内縁と外縁とが高低差を有す様形成されたことを特徴とする無線装置コネクタの防水構造。
【発明の詳細な説明】
【技術分野】
【０００１】
本発明は、屋外で使用され、防水、防塵機能が要求される無線装置、特に無線装置コネクタの防水構造に関するものである。
【背景技術】
【０００２】
屋外で使用される無線装置、或は屋外に設置される基地局用無線装置には、防水、防塵機能が要求される。又、無線装置には保守、試験の為に外部機器と接続する為のコネクタを具備しており、コネクタについても防水、防塵機能が要求される。
【０００３】
先ず、図７、図８に於いて、従来の無線装置コネクタの防水、防塵構造について説明する。
【０００４】
図中１は無線装置の筐体を示し、該筐体１にはコネクタ収納用の孔２が穿設されており、該孔２にコネクタ３が収納される。前記孔２を囲繞する様に、該孔２の周囲に頂面が平となっている防水壁４が突設され、前記孔２はコネクタカバー５によって液密に閉塞され、該コネクタカバー５は前記筐体１にボルト６を介して着脱可能に固定される様になっている。前記コネクタカバー５の裏面には、前記孔２の面積よりも大きな板状の防水パッキン７が、両面テープによって貼設されている。前記ボルト６を締込むことで、前記防水壁４の頂点面が前記防水パッキン７によって押圧され、該防水パッキン７が局部的に潰され、前記孔２は液密に閉塞される。
【０００５】
然し乍ら、従来構造の場合、前記防水パッキン７と接触する前記防水壁４の頂面は平面である為、該防水壁４の前記防水パッキン７との接触部８の接触面積が広くなり、前記防水パッキン７に対する面圧が低下してしまう。
【０００６】
又、前記接触部８は、前記防水パッキン７と前記防水壁４の平面部分と接触することで、前記防水パッキン７の圧縮による押潰し量（体積）が増加し、前記防水壁４に押潰された分だけ前記防水パッキン７の外側部分が引張られる為、外側部分が前記コネクタカバー５から浮上がり、前記防水パッキン７を固定している両面テープが引剥がされ、剥がれた部分に水が入り込み、両面テープが劣化する等防水、防塵性が損われる虞れがあった。
【０００７】
【特許文献１】特開平１１−１９０４６８号公報
【０００８】
【特許文献２】特開２００３−１８８７５６号公報
【発明の開示】
【発明が解決しようとする課題】
【０００９】
本発明は斯かる実情に鑑み、防水パッキンの圧面を確保しつつ、変形量を減少させ、防水、防塵性能を向上させると共に、経時的な劣化を抑制した無線装置コネクタの防水構造を提供するものである。
【課題を解決するための手段】
【００１０】
本発明は、筐体に穿設された孔と、該孔を囲む壁部と、前記孔を閉塞するコネクタカバーと、該コネクタカバーに設けられ前記壁部と接触してコネクタを閉塞する防水パッキンとを具備し、前記壁部の前記防水パッキンとの接触部は、前記壁部の内縁と外縁とが高低差を有す様形成された無線装置コネクタの防水構造に係るものである。
【発明の効果】
【００１１】
本発明によれば、筐体に穿設された孔と、該孔を囲む壁部と、前記孔を閉塞するコネクタカバーと、該コネクタカバーに設けられ前記壁部と接触してコネクタを閉塞する防水パッキンとを具備し、前記壁部の前記防水パッキンとの接触部は、前記壁部の内縁と外縁とが高低差を有す様形成されたので、前記接触部と前記防水パッキンとの接触荷重を安定させ、該防水パッキンの変形による両面テープの剥離を防ぎ、前記接触部の防水、防塵性能の向上を図ることができるという優れた効果を発揮する。
【発明を実施するための最良の形態】
【００１２】
以下、図面を参照しつつ本発明を実施する為の最良の形態を説明する。
【００１３】
先ず、図１〜図４に於いて、本発明の第１の実施の形態について説明する。尚、図１〜図４中、図７、図８と同等のものには同符号を付し、その説明を省略する。
【００１４】
図中、９はアンテナを内蔵し、表面にフィン１１が取付けられた外付け用の無線装置を示したものである。該無線装置９は筐体１と、該筐体１に設置されたコネクタ３と、該コネクタ３を覆うコネクタカバー５を具備しており、前記コネクタ３は、通常検査や点検等で一時的に使用されるものであり、使用しない時には前記コネクタカバー５等で液密に閉塞されている。又、前記無線装置９は屋外にて使用される為、防水構造となっている。
【００１５】
前記筐体１には矩形の孔２が穿設されており、前記コネクタ３は前記孔２に収納され、前記筐体１は前記コネクタ３を囲む様に防水壁４を突設している。又、該防水壁４の外側には螺子孔が２箇所突設されており、前記コネクタカバー５はボルト６を介して着脱可能に固定されている。
【００１６】
前記コネクタカバー５の裏面には、前記孔２の面積よりも大きい防水パッキン７が両面テープによって貼設されており、前記コネクタカバー５を前記ボルト６で締込むことによって、前記防水壁４が前記防水パッキン７を押圧し、該防水パッキン７が局部的に潰され、前記コネクタ３を液密に閉塞可能となっている。
【００１７】
第１の実施の形態では、前記防水壁４の前記防水パッキン７との接触部８の内縁に鋭角部１２を形成し、内縁から外縁迄を下り傾斜としたものである。
【００１８】
上記構成により、前記コネクタカバー５を前記ボルト６で螺子止めし、前記孔２を閉塞した際には、前記鋭角部１２が前記防水パッキン７を押圧することにより、該防水パッキン７を潰す荷重が前記鋭角部１２に集中する為、従来の接触部８が平面である形状と比較して最大凹み量を確保しつつ全体の押潰し量を減少させている。又、前記防水パッキン７の押潰し量が減少したことで、該防水パッキン７の外側部分を引張る力が減少する為、該防水パッキン７を前記コネクタカバー５に貼設している両面テープの剥離を防止することができる。
【００１９】
又、上記構成により、第１の実施の形態に於いては、前記コネクタ３に対する優れた防水性、防塵性を確保できる構造となっている。
【００２０】
次に、図５に於いて、本発明の第２の実施の形態について説明する。尚、図５中、図１〜図４と同等のものには同符号を付し、その説明を省略する。
【００２１】
第２の実施の形態は、第１の実施の形態と同様、筐体１に穿設された矩形の孔２にコネクタ３を収納し、該コネクタ３の周囲には防水壁４が突設され、第１の実施の形態の防水壁４とコネクタカバー５の裏面に貼設された防水パッキン７との接触箇所である接触部８の形状を、高さの異なる段差を設けた階段状とし、高い側を第１接触部１３、低い側を第２接触部１４としたものである。
【００２２】
前記コネクタ３は、前記防水壁４にコネクタカバー５をボルト６で締込むことで、防水パッキン７が前記第１接触部１３に押圧され、前記コネクタ３が液密に閉塞される構造となっている。
【００２３】
前記防水壁４の前記接触部８に段差を設け、前記第１接触部１３と前記第２接触部１４としたことで、前記第１接触部１３に接触荷重が集中し、全体の押潰し量を減少させている。一方で、前記第２接触部１４でも前記防水パッキン７と接触する為、従来の平面形状と比較して最大凹み量を確保しつつ全体の押潰し量を減少させると共に、前記第１接触部１３と前記第２接触部１４の２箇所での防水、防塵性能を確保できる。
【００２４】
次に、図６に於いて、本発明の第３の実施の形態について説明する。尚、図６中、図５と同等のものには同符号を付し、その説明を省略する。
【００２５】
第３の実施の形態は、第２の実施の形態の第１接触部１３と第２接触部１４の間に溝１５を設けたものである。
【００２６】
上記構成により、コネクタカバー５をボルト６で螺子止し、コネクタ３を閉塞した際には、先ず第１接触部１３が防水パッキン７を押圧し、前記第１接触部１３に大きな接触荷重がかかる一方で、第２接触部１４も前記防水パッキン７と接触し、防水性を確保できる。
【００２７】
第３の実施の形態に於いても、防水壁４は前記第１接触部１３、前記第２接触部１４の２箇所で防水が可能になると共に、前記溝１５を設けたことにより、仮に前記第２接触部１４から水等が浸入した場合でも、前記溝１５で水が溜り、水が直接前記第１接触部１３に到達することを抑制するので、該第１接触部１３で液密な作用を更に向上させる。従って、接触荷重の異なる２箇所で前記防水壁４と前記防水パッキン７を接触させて防水すると共に、前記溝１５の存在により一層優れた防水性、防塵性を確保できる。
【図面の簡単な説明】
【００２８】
【図１】本発明に於ける無線装置を示す斜視図である。
【図２】本発明に於ける無線装置の要部拡大図である。
【図３】図２のＡ−Ａ矢視図である。
【図４】本発明の第１の実施の形態を示す要部拡大断面図である。
【図５】本発明の第２の実施の形態を示す要部拡大断面図である。
【図６】本発明の第３の実施の形態を示す要部拡大断面図である。
【図７】従来の無線装置コネクタの防水構造を示す要部拡大断面図である。
【図８】従来の無線装置コネクタの防水構造を示す要部拡大断面図である。
【符号の説明】
【００２９】
１              筐体
２              孔
３              コネクタ
４              防水壁
５              コネクタカバー
７              防水パッキン
８              接触部
９              無線装置
１２            鋭角部
１３            第１接触部
１４            第２接触部
１５            溝
【図１】
2010098345.tif 000003
【図２】
2010098345.tif 000004
【図３】
2010098345.tif 000005
【図４】
2010098345.tif 000006
【図５】
2010098345.tif 000007
【図６】
2010098345.tif 000008
【図７】
2010098345.tif 000009
【図８】
2010098345.tif 000010